(57)【要約】本発明は、担体流体と混合された固体触媒を含むタンクのための触媒供給システムに関する。上記タンクシステムは、円筒状タンクおよび該円筒状タンク中でスライド可能なフロート（１）を含み、触媒混合物が、フロートの一方の側の円筒状タンク中に供給されそしてそこから配給される。円筒状タンクには、円筒状タンク中のフロートの位置を決定するためのレーダーレベル計器（８）が備えられている。レーダーレベル計器によって、フロートの位置および従って触媒の配給が正確に測定され得る。【選択図】図１
2004506781.tif 000002
【特許請求の範囲】
【請求項１】
担体流体と混合された固体触媒を含む触媒混合物を供給するための触媒供給システムであって、円筒状タンクおよび該タンク中でスライド可能なフロート（１）を含み、それによって触媒混合物がフロートの一方の側でタンク中に供給されそしてそこから配給されるところのシステムにおいて、該タンクに、タンク中のフロート（１）の位置を決定するためのレーダーレベル計器（８）が備えられていることを特徴とするシステム。
【請求項２】
レーダーレベル計器（８）がフロート（１）の一方の側にあり、触媒混合物が他方の側にある、請求項１記載のシステム。
【請求項３】
触媒混合物をタンク中に供給するための入口（３）および該混合物をタンクから配給するための出口（４）がタンクに備えられ、該入口または出口が、好ましくはそれらの各々が、硬質である、請求項１または２記載のシステム。
【請求項４】
フロート（１）の触媒混合物とは異なる側のタンクの部分に、加圧された流体を該円筒に供給するための硬質の入口（６）が備えられている、請求項１〜３のいずれか１項記載のシステム。
【請求項５】
フロート（１）の触媒混合物とは異なる側のタンクの部分に、加圧された流体を該円筒から導くための硬質の出口（７）が備えられている、請求項４記載のシステム。
【請求項６】
システムが、タンクから触媒混合物を供給するためのポンプ（９）、およびレーダーレベル計器（８）の測定結果に基づいて該ポンプを制御するための手段（１０）を含む、請求項１〜５のいずれか１項記載のシステム。
【請求項７】
タンク中でスライド可能なフロート（１）を含む円筒状タンクから配給される触媒混合物の量を決定するための方法であって、触媒混合物が、フロートの一方の側でタンク中に供給されそしてそこから配給されるところの方法において、フロート（１）によって移動される距離がレーダーレベル計器（８）によって測定され、そしてこの測定に基づいて、配給された触媒混合物の量が計算されることを特徴とする方法。
【発明の詳細な説明】
【０００１】
【発明の属する技術分野】
本発明は、担体流体中に混合された固体触媒を含む触媒混合物を供給するためのシステムに関する。本発明は、例えば、重合反応器に固体触媒を供給するために使用され得る。
【０００２】
【従来の技術】
種々の重合方法において、固体触媒が反応器に供給される。信頼できる供給を達成するために、触媒は、非常に粘性の担体流体媒体、例えばオイルまたは蝋中に懸濁されて濃厚な蝋様の懸濁物を形成することができるが、しかし、それはなおもポンプによって配給され得る。そのような触媒懸濁物を含む供給タンクは、内側にフロートを備えることができる。フロートは触媒懸濁物を下方に均一に押し、そしてタンクが確かに、かつ異なる種類のありうる先の触媒バッチによる汚染の危険を何ら伴うことなく空にされることを確実にする。現在のシステムでは、触媒懸濁物の消費が、タンクの重さを連続的に量ることにより測定され、次いでこれらの測定に基づいて供給が調整される。これは、プロセス装置上に特定の要件を取り付ける。例えば、タンクへの連結は可撓性のホースによってなされなければならない。そのようなホースは、測定結果になおも不正確さをもたらし得る。
【０００３】
円筒の頂部を通って外部雰囲気中へスライド可能に別個のシャフトが取り付けられているところの機械的構造に基づく触媒円筒システムもある。シャフトの位置（これはフロートの位置に対応する）は、円筒の外側の慣用手段によって検出される。これは、シールを通る漏出の潜在的な危険を意味する。必要とされる総空間（高さ）は、主要円筒と比較して約２倍である。
【０００４】
【発明が解決しようとする課題および課題を解決するための手段】
請求項１に従う触媒供給システムが今発明された。本発明のいくつかの好ましい実施態様は、他の請求項に示される。
【０００５】
本発明に従うシステムは、触媒混合物のための円筒状タンクおよびそのタンクにおいてスライド可能なフロートを含む。タンクには、ジャケットが備えられ得る。フロートの位置を決定するために、タンクには、レーダーレベル計器が備えられている。すなわち、タンク中の触媒混合物の量が連続的かつ確実に計算され得る。タンクは固定され得る。連結のための可撓性のホースは必要でない。全ての種類の目に見える移動部分、例えばスライドするシャフト、は排除され得る。タンク全体は、全ての移動部分（１つのフロート）が加圧容器（円筒）の内部にあるところの完全に締まった（ｔｉｇｈｔ）円筒であり得る。本発明の特定の特徴は、触媒供給器システムに特に適応されたレーダー型レベル計器を使用することにより達成され得る。レーダー型レベル計器を使用することにより、システム全体が、レベル測定から正確な流動測定へ変えられる。
【０００６】
本発明によれば、慣用システムよりも少ない空間を必要とし、一層正確な測定／計算結果を与え、そして簡単かつ安価であるところのコンパクトなシステムが提供され得る。上記システムは、高固形分の混合物を低い流速で供給するために信頼して使用され得る。
【０００７】
【発明の実施の形態】
添付される図面は、詳細な説明の一部を形成し、本発明を使用する例を示す。
【０００８】
触媒混合物は、液状担体流体媒体中に混合された固体触媒物質を含む。担体流体は、好ましくは、オイル、蝋などであり、それによって蝋様混合物（触媒蝋）が形成される。触媒のために使用される媒体は好ましくは、触媒物質自体に対して不活性である。媒体は好ましくは、存在する可能性のある他の物質に対しても不活性である。特に、混合物が反応器に供給されるとき、媒体は好ましくは、反応物質に対して不活性である。
【０００９】
担体流体は好ましくは、触媒が混合物から容易に沈殿し、または沈降することのないような高い粘度を有する。貯蔵またはポンプ供給温度（−２０℃〜１００℃）での粘度は例えば、４〜２０Ｐａｓ、典型的には６〜１２Ｐａｓ、特に８〜１０Ｐａｓであり得る。
【００１０】
流体は、例えば、オイルまたは蝋、例えばポリ−α−オレフィンオイルまたはパラフィン蝋であり得る。媒体は、一層低い粘度を有するオイル中のオイルまたは蝋の混合物であってもよい。
【００１１】
触媒混合物は、例えば、混合物の物理的安定性を高めるため、または所望のレオロジー特性を達成するために、適する添加剤を含み得る。混合物中の触媒の濃度は例えば、少なくとも１ｇ／ｄｍ３、例えば少なくとも１０ｇ／ｄｍ３、好ましくは少なくとも１００ｇ／ｄｍ３、最も好ましくは３００〜５００ｇ／ｄｍ３であり得る。
【００１２】
タンクからの混合物の体積流速は、例えば０．０１〜１００ｄｍ３／ｈ、典型的には１〜２５ｄｍ３／ｈ、最も好ましくは２〜１０ｄｍ３／ｈであり得る。
【００１３】
固体物質は、混合物中に凝集物を形成してもよい。そのような凝集物は、混合物から除去され得る。これは、供給ライン、例えばタンクからの出口にフィルターを付与することにより行われ得る。フィルターが好ましくはポンプの前に置かれるとき、ありうる凝集物は、ポンプの運転を妨げない。また、重合触媒の構造がポンプにおいて壊れることもない。
【００１４】
触媒混合物は、タンクから例えば加圧容器へポンプ供給され得る。加圧容器は、特にプロセス反応器、例えば気相反応器（例えば流動床反応器）、ループ反応器、または細長いプラグ流反応器であり得る。容器内の圧力は例えば１〜１００バール、典型的には４０〜６０バールであり得る。
【００１５】
触媒は、特に、例えばオレフィン重合または共重合反応において使用され得る。オレフィンは特に、α−オレフィン、例えばプロペンまたはエテンである。他のＣ２〜Ｃ８オレフィン、例えばペンテンまたは１−ブテンがコモノマーとして使用され得る。触媒は例えば、チーグラーナッタまたはシングルサイト触媒型であり得る。触媒および液体媒体は、例えばフィンランド特許第９５３８７号（欧州特許出願公開ＥＰ−Ａ−６０７７０３号に対応、この文献は引用することにより本明細書に組み入れられる）に記載されているようなものであり得る。
【００１６】
タンクは、触媒蝋を出口に向かって下方に均一に押すところのフロートを含む。フロートは、空気によってまたは液圧によって駆動され得る。特に、不活性流体が使用される。流体は好ましくは、気体または気体混合物である。特に窒素が使用され得る。タンクからの供給圧は、好ましくは、０．１〜２０バールである。
【００１７】
タンクには、レーダーレベル計器が備えられる。これは、フロートの高さ位置を測定する。それは、フロートにマイクロ波を送り、フロートの表面からの反射を受け取る。その測定に基づいて、タンク中の触媒混合物の量が連続的に計算され得る。レーダーレベル計器は、好ましくはタンクの頂部にあり、そのことによって、マイクロ波を下方に向かってフロートの上部表面に直接送る。
【００１８】
本発明システムで使用され得るレーダーレベル計器は市販されている。測定原理は、以下の通りである。レーダー信号（周波数は例えば２４ＧＨｚ）が、レーダーセンサーのアンテナから、測定されるべき標的レベルに向かって短パルスとして放出される。標的レベルから反射されたレーダーインパルスが、アンテナによってエコーとして受け取られる。放出から受け取りまでのレーダーインパルスの継続時間は距離に比例する。その測定は、温度、圧力および蒸気による影響を受けない。最終発信信号は、計器の電子工学において計算され、そして発生される。計器の電子工学は、計器本体の一体化された部分である。
【００１９】
マイクロ波レーダーシステムは、例えば大きいオイルタンクにおいてタンク中のオイルの表面レベルをモニターするために使用されている。例えば米国特許第５６１４８３１号を参照。
【００２０】
図１は、本発明に従う触媒供給システムの一例である。タンクは円筒形であり、そして密閉されたフロート１が備えられている。タンクの直径は例えば５０〜５００ｍｍであり得る。フロートの上部および下部表面は平らである。フロートは、タンクの縦方向に移動され得る。タンクの下方室２は触媒のためであり、そしてその室の壁に入口３が、底部に出口４が備えられている。タンクの上部室５は加圧された不活性気体、例えば窒素のためである。上部室には、室の頂部に入口６が、側壁に出口７が備えられている。フロートの密閉は、気体が触媒混合物と混合することを防ぐ。かかる気泡は、例えばポンプにおいて問題を引き起こし得る。
【００２１】
下方室２は、触媒蝋で完全に満たされている。触媒蝋が下方室からポンプで汲み出されるとき、フロート１は、下方室中に真空空間が形成されないように下方に移動する。すなわち、フロートによって移動される距離は、タンクからポンプで汲み出された触媒混合物の体積に方向的に比例する。
【００２２】
タンクの頂部には、レーダーレベル計器８が備えられている。それは、マイクロ波をフロートに向かって送り、そしてフロートの上部表面からの反射を受け取る。すなわち、フロートによって移動された距離および従ってポンプ９によってタンクから汲み出された触媒混合物の体積をも計算することができ、ポンプの効率はシステム１０によって制御される。そのシステムは、充填期の間、タンクに供給された混合物の量を計算するためにも使用され得る。
【００２３】
ポンプ１０は好ましくは、バルブのないロータリーピストンポンプである。
【００２４】
本発明で使用され得る適するレーダー計器は市販されている。例えば、下記の型の計器が使用され得る。
計器の型：２ワイヤレーダーレベル送信機、試験証明済、ＨＡＲＴプロトコル；
信号：標準４．．．２０ｍＡ電流信号；
プロセス連結：容器、ＤＮ８０、ＰＮ４０へ直接のフランジ連結；
正確さ：０．１％（全スケールの）；
感度限界：１ｍｍ
【００２５】
触媒混合物の量は、例えば重さを量る操作をすることなく正確に測定され得る。すなわち、入口３、６および出口４、７は固定され得、そして硬質であり得る。可撓性のホース連結は不要である。一実施態様によれば、連結３および４ならびに連結６および７が一緒にされて環になり得る。
【００２６】
フロート１は例えば、カバースチールプレート（例えば５ｍｍ）が備えられたパッド型フランジ（例えば３００＃ＡＮＳＩ）であり得る。
【００２７】
【図面の簡単な説明】
【図１】図１は、本発明に従う触媒タンクの模式図を示す。
【符号の説明】
１　フロート
２　下方室
３、６　入口
４、７　出口
５　上方室
８　レーダーレベル計器
９　ポンプ
【国際公開パンフレット】
2004506781.tif 000003
2004506781.tif 000004
2004506781.tif 000005
2004506781.tif 000006
2004506781.tif 000007
2004506781.tif 000008
2004506781.tif 000009
2004506781.tif 000010
2004506781.tif 000011
【国際調査報告】
2004506781.tif 000012
2004506781.tif 000013